(57)【特許請求の範囲】
【請求項１】
前胴回り域と、後胴回り域と、前記前胴回り域と前記後胴回り域との間に位置する股下域とを有し、
一対の脚回り開口部が形成されると共に、
前記股下域を跨ぎ前記前胴回り域及び前記後胴回り域に延びる吸収体を備え、
前記前胴回り域から前記後胴回り域に向かう製品長手方向と、前記製品長手方向と直交する製品幅方向とを有する使い捨ておむつであって、
前記前胴回り域内で、前記製品幅方向の中心付近で且つ前記製品長手方向の端部を含み、少なくとも２枚以上の不織布シートが配置されている領域に、切り欠き部が形成されており、
前記前胴回り域内の前記製品長手方向の端部において、前記不織布シート内の繊維が圧縮され、嵩が低減するように構成されており、前記不織布シート内の繊維が溶解せずに交絡する状態によって接合されており、
前記切り欠き部は、前記使い捨ておむつの平面視において２段に重ねた凸形状からなる曲線であることを特徴とする使い捨ておむつ。
【請求項２】
前記不織布シートに含まれるトップシートには、凹凸及び開孔が設けられていることを特徴とする請求項１に記載の使い捨ておむつ。
【請求項３】
前記不織布シート同士を接合する接着剤は、線状に配置されており、
前記接着剤同士の前記製品幅方向における間隔は、前記開孔の前記製品幅方向における間隔よりも大きくなるように構成されていることを特徴とする請求項２に記載の使い捨ておむつ。
【請求項４】
前記凹凸は、前記製品長手方向に連続して延びるように構成されていることを特徴とする請求項２に記載の使い捨ておむつ。
【請求項５】
前記切り欠き部は、前記製品幅方向の中心に向かう凸形状を有しており、
前記使い捨ておむつを平面視した場合に、前記切り欠き部の切り欠きラインは、蛇行する形状となっていることを特徴とする請求項１乃至４のいずれか一項に記載の使い捨ておむつ。
【請求項６】
前記前胴回り域内の前記製品長手方向の端部から、前記使い捨ておむつにおける前記製品長手方向の中心に向かうにつれて、配置されているシートの枚数が、順次、多くなるように構成されていることを特徴とする請求項１乃至５のいずれか一項に記載の使い捨ておむつ。
【請求項７】
前記股下域内において前記吸収体が配置されている吸収体配置領域内に形成され伸縮可能なクロッチ伸縮部を具備しており、
前記製品長手方向における前記クロッチ伸縮部の中心は、前記製品長手方向における前記使い捨ておむつの中心よりも、前記前胴回り域側に配置されていることを特徴とする請求項１乃至６のいずれか一項に記載の使い捨ておむつ。
【請求項８】
前記クロッチ伸縮部の伸縮率は、１．２倍以上１．８倍以下である、請求項７に記載の使い捨ておむつ。
【請求項９】
前記切り欠き部は、前記２枚以上の不織布シートのみが配置されている領域に形成されていることを特徴とする請求項１乃至８のいずれか一項に記載の使い捨ておむつ。
【発明の詳細な説明】
【技術分野】
【０００１】
本発明は、使い捨ておむつに関する。
【背景技術】
【０００２】
従来、前胴回り域と後胴回り域と股下域とを有し、一対の脚回り開口部が形成されると共に、股下域を跨ぎ前胴回り域及び後胴回り域に延びる吸収体を備えた使い捨ておむつが知られている。
【０００３】
一般的に、乳児（特に、新生児）のへそ部分は、肌表面が乾燥しておらず傷のような状態となっているため、かかる乳児のへそ部分に、使い捨ておむつの製品長手方向の端部が当たると、かかる乳児のへそ部分を傷つけたり、乳児に痛みを与えたりするという懸念があった。
【０００４】
したがって、かかる使い捨ておむつにおいて、このようなデリケートな乳児のおへそを守るために、使い捨ておむつの前胴回り域において、使い捨ておむつの製品幅方向の中心に向かって凸になるＵ字型やＶ字型の形状を有する切り欠き部を形成する構造が知られている（例えば、特許文献１及び２参照）。
【先行技術文献】
【特許文献】
【０００５】
【特許文献１】特開平１-１６２８０６号公報
【特許文献２】特開昭６２-１９９８０２号公報
【発明の概要】
【発明が解決しようとする課題】
【０００６】
一般的に、母親が、乳児（特に、新生児）を授乳のために抱きかかえた時には、乳児が、背側を丸くカーブさせた姿勢を取り、使い捨ておむつと乳児のへそ部分とがすれるという状況が多い。
【０００７】
また、最近の母親は、乳児を抱きかかえた時のように、乳児に背側を丸くカーブさせた姿勢を取らせることが、乳児にとって呼吸し易く、良い覚醒状態を保つことができ、好ましいという事実を知り、積極的に、このような姿勢を取らせる場合がある。
【０００８】
かかる場合、使い捨ておむつの製品長手方向Ｌの端部（特に、使い捨ておむつを構成するシートがカットされている端部）及び乳児のへそ部分が近い位置にあると嫌悪感を抱く人がいるため、乳児のへそ部分を、より保護する構造の使い捨ておむつが必要とされている。
【０００９】
そこで、本発明は、上述の課題に鑑みてなされたものであり、乳児が、背側を丸くカーブさせた姿勢を取った場合であっても、乳児のへそ部分を保護することができる使い捨ておむつを提供することを目的とする。
【課題を解決するための手段】
【００１０】
本発明の第１の特徴は、前胴回り域と、後胴回り域と、前記前胴回り域と前記後胴回り域との間に位置する股下域とを有し、一対の脚回り開口部が形成されると共に、前記股下域を跨ぎ前記前胴回り域及び前記後胴回り域に延びる吸収体を備え、前記前胴回り域から前記後胴回り域に向かう製品長手方向と、前記製品長手方向と直交する製品幅方向とを有する使い捨ておむつであって、前記前胴回り域内で、前記製品幅方向の中心付近で且つ前記製品長手方向の端部を含み、少なくとも２枚以上の不織布シートが配置されている領域に、切り欠き部が形成されており、前記前胴回り域内の前記製品長手方向の端部において、前記不織布シート内の繊維が圧縮され、嵩が低減するように構成されており、前記不織布シート内の繊維が溶解せずに交絡する状態によって接合されていることを要旨とする。
【発明の効果】
【００１１】
以上説明したように、本発明によれば、乳児が、背側を丸くカーブさせた姿勢を取った場合であっても、乳児のへそ部分を保護することができる使い捨ておむつを提供することができる。
【図面の簡単な説明】
【００１２】
【図１】本発明の実施形態に係る使い捨ておむつの展開平面図である。
【図２】本発明の第１の実施形態に係る使い捨ておむつの展開平面図におけるＦ-Ｆ断面図である。
【図３】本発明の第１の実施形態に係る使い捨ておむつの展開平面図におけるＦ-Ｆ断面図における領域Ａの拡大図である。
【図４】本発明の第１の実施形態に係る使い捨ておむつの展開平面図におけるＧ-Ｇ断面図の一部である。
【図５】本発明の第１の実施形態に係る使い捨ておむつにおける接着剤の塗布方法について説明するための図である。
【発明を実施するための形態】
【００１３】
（本発明の第１の実施形態）
図１乃至図５を参照して、本発明の第１の実施形態に係る使い捨ておむつ１０について説明する。
【００１４】
なお、以下の図面の記載において、同一又は類似の部分には、同一又は類似の符号を付している。ただし、図面は模式的なものであり、各寸法の比率等は現実のものとは異なることに留意すべきである。
【００１５】
したがって、具体的な寸法等は、以下の説明を参酌して判断すべきである。また、図面相互間においても互いの寸法の関係や比率が異なる部分が含まれ得る。
【００１６】
図１は、本実施形態に係る使い捨ておむつ１０の展開平面図である。図２は、図１に示したＦ-Ｆ線に沿った使い捨ておむつ１０の断面図である。
【００１７】
図１に示すように、本実施形態に係る使い捨ておむつ１０は、前胴回り域２０と、股下域２５と、後胴回り域３０とを有する。また、使い捨ておむつ１０には、一対の脚回り開口部３５が形成されている。
【００１８】
ここで、前胴回り域２０は、着用者の前胴回り部と接する部分であり、後胴回り域３０は、着用者の後胴回り部と接する部分であり、股下域２５は、前胴回り域２０と後胴回り域３０との間に位置する部分である。
【００１９】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２０】
本実施形態に係る使い捨ておむつ１０は、股下域２５を跨ぎ前胴回り域２０及び後胴回り域３０に延びる吸収体４０を備える。図２に示すように、吸収体４０は、吸収体コア４０ａとコアラップ４０ｂとによって構成されている。
【００２１】
吸収体コア４０ａは、従来の使い捨ておむつで用いられているものと同様であり、粉砕パルプや高吸収ポリマー等、公知の部材や材料を用いて、吸収体コア４０ａを適宜構成することができる。吸収体コア４０ａは、シート状のコアラップ４０ｂによって包まれている。
【００２２】
コアラップ４０ｂは、吸収体コア４０ａを被覆するシートである。コアラップ４０ｂの少なくとも肌当接面側の一部は、液透過性を有する各種の繊維不織布若しくはティッシュシートによって構成されている。
【００２３】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２４】
また、図２に示すように、吸収体４０の表面側（肌当接面側）には、液透過性のトップシート５０が備えられており、吸収体４０の裏面側（非肌当接面側）には、液不透過性のバックシート６０ａが備えられている。  さらに、図２に示すように、バックシート６０ａの裏面側（非肌当接面側）に、外装シート６０（不織布シート）が備えられていてもよい。
【００２５】
吸収体４０の製品幅方向Ｗにおける側縁部には、サイドフラップ７０がそれぞれ備えられている。サイドフラップ７０は、１枚又は２枚以上の複数枚重ねた不織布によって構成されている。
【００２６】
また、図１に示すように、本実施形態に係る使い捨ておむつ１０は、後胴回り域３０において、一対のファスニングテープ９０を備えており、前胴回り域２０の非肌当接面側の所定領域において、ターゲットテープ９０ａを備えている。
【００２７】
ここで、ファスニングテープ９０が、ターゲットテープ９０ａに取り付けられることによって、使い捨ておむつ１０を着用者の身体に保持することができる。
【００２８】
また、図１に示すように、本実施形態に係る使い捨ておむつ１０は、股下域２５内において吸収体４０が配置されている吸収体配置領域内に形成され伸縮可能なクロッチ伸縮部２００ａを備えていてもよい。
【００２９】
具体的には、図２に示すように、クロッチ伸縮部２００ａは、吸収体４０（コアラップ４０ｂ）とバックシート６０ａとの間に備えられていてもよい。
【００３０】
ここで、クロッチ伸縮部２００ａは、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【００３１】
クロッチ伸縮部２００ａは、吸収体４０の他の部分よりも、使い捨ておむつ１０の着用時において、股下域２５の一部に平坦な形状を維持できるように構成されている。
【００３２】
クロッチ伸縮部２００ａは、後述するレッグ伸縮部７５とは個別独立して設けられており、吸収性コア４０ａと重なる位置（本実施形態では、コアラップ４０ｂとバックシート６０ａとの間の位置）において、吸収性コア４０ａの製品幅方向Ｗの長さの６０％以上を収縮させるように構成されている。
【００３３】
このように、クロッチ伸縮部２００ａによって、吸収性コア４０ａが配置された部分を収縮させることにより、吸収性コア４０ａが縮む。その結果、吸収性コア４０ａが縮まない部分は、吸収性コア４０ａが縮まない部分と比較して平坦な形状を維持し易くなる。
【００３４】
一方、クロッチ伸縮部２００ａよりも製品長手方向Ｌの外側に位置する前胴回り域２０や後胴回り域３０に位置する吸収性コア４０ａは、クロッチ伸縮部２００ａによって収縮していない。
【００３５】
したがって、ファスニングテープ９０により、使い捨ておむつ１０が着用者の腰や胴回りに保持された状態において、使い捨ておむつ１０の股下域２５において平坦な形状で維持されるクロッチ伸縮部２００ａが、過度に着用者の身体に密着することなく、適度に着用者の身体に沿って配置される。
【００３６】
また、クロッチ伸縮部２００ａが、製品長手方向Ｌに沿って伸縮可能である場合、前胴回り域２０及び後胴回り域３０が、クロッチ伸縮部２００ａの収縮によって立ち上がり易くなり、着用時には、着用者の股部にて身体に沿って平坦な股下域を形成することができる。
【００３７】
その結果、クロッチ伸縮部２００ａから前胴回り域２０及び後胴回り域３０が立ち上がるので、使い捨ておむつ１０の着用者へのフィット性が向上する。
【００３８】
すなわち、クロッチ伸縮部２００ａの収縮によって、使い捨ておむつ１０の股下域２５が、着用者の股下部に配置されるように、安定して使い捨ておむつ１００を装着することができる。
【００３９】
さらに、クロッチ伸縮部２００ａは、製品長手方向Ｌにおける使い捨ておむつ１０の中心Ｏ１を跨いで前胴回り域２０側及び後胴回り域３０側に延びるように構成されていてもよい。
【００４０】
また、製品長手方向Ｌにおけるクロッチ伸縮部２００ａの中心Ｏ２は、製品長手方向Ｌにおける使い捨ておむつ１０の中心Ｏ１よりも、前胴回り域２０側に配置されている。
【００４１】
一方、着用者の動きがあった場合（特に、足を上げたり、立ったり、座ったりした際）には、着用者の身体の表面の皮膚の伸縮量（長さの変化量）は、腹側によりも背側（臀部）の方が大きくなる。
【００４２】
そのため、製品長手方向Ｌにおけるクロッチ伸縮部２００ａの中心Ｏ２は、製品長手方向Ｌにおける使い捨ておむつ１０の中心Ｏ１よりも、前胴回り域２０側に配置することによって、後胴回り域３０の製品長手方向Ｌの長さを前胴回り域２０の製品長手方向Ｌの長さよりも長くすることで、着用者の動きがあった場合であっても、着用者の皮膚の動きに影響を受けて、使い捨ておむつ１０の前胴回り域２０及び後胴回り域３０が、製品長手方向Ｌに沿う向きに動いてしまうという事態を抑制することが可能となり、着用者のおへそ部分と使い捨ておむつ１０の前胴回り域２０とが干渉してしまう頻度及び度合いを抑制できる。
【００４３】
つまり、上述の構成によれば、着用者の動きがあった場合にも、おへそ部分の周辺を保護することができる。
【００４４】
本実施形態では、クロッチ伸縮部２００ａは、伸縮性シート部材によって構成されていてもよい。
【００４５】
例えば、かかる伸縮性シート部材としては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【００４６】
また、かかる伸縮性シート部材の代わりに、ポリウレタン弾性繊維や天然ゴムからなる糸状・帯状の伸縮可能な弾性部材を、互いに並列に並べることによってクロッチ伸縮部２００ａを構成してもよい。
【００４７】
かかる場合、吸収体コア４０ａの剛性及び使い捨ておむつ１０を構成する他の部材の剛性を考慮して、用いる弾性部材の太さや配置するピッチを適宜選択できるが、使い捨ておむつ１０本体を自然状態（非伸張状態）とした際に吸収体コア４０ａの製品幅方向Ｗにおける側縁部全域が収縮した状態となるようにすることが好ましい。
【００４８】
具体的には、クロッチ伸縮部２００ａの伸縮率は、１.２倍以上１.８倍以下であることが好ましい。例えば、本実施形態では、クロッチ伸縮部２００ａの伸縮率は、１.４倍に設定されていてもよい。
【００４９】
伸縮率は、伸縮方向（本実施形態では、製品長手方向Ｌ）におけるクロッチ伸縮部２００ａの伸縮の程度を意味し、以下のように規定される。
【００５０】
伸縮率＝（最大伸張状態におけるクロッチ伸縮部２００ａの伸縮方向における長さ）/（自然状態におけるクロッチ伸縮部２００ａの伸縮方向における長さ）
【００５１】
なお、本明細書において、かかる伸縮率は、例えば、次のように測定されるものとする。
【００５２】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置する。
【００５３】
第２に、かかる状態（すなわち、自然状態）における所望領域の伸縮方向における長さ、及び、自然状態から弾性部材による皺が目視にて確認できない状態まで延伸した時（すなわち、最大伸張状態）の所望領域の伸縮方向における長さを測定する。
【００５４】
このように、クロッチ伸縮部２００ａの伸縮率を、１.２倍以上１.８倍以下とすることによって、着用者の皮膚の伸縮に好適に追従することができる。
【００５５】
例えば、着用者が、身体前側が縮むような前屈みの姿勢をとると、着用者の臀部側の皮膚が、身体を伸ばした状態に対して３０％程度伸びる。
【００５６】
つまり、クロッチ伸縮部２００ａの伸縮率を１.２倍以下とすると、自然状態におけるクロッチ伸縮部２００ａの収縮が十分でなく、クロッチ伸縮部２００ａが設けられていない場合と比較して、使い捨ておむつ１０の曲げ易さの差が小さく、所望の位置において前胴回り域２０が立ち上がらなくなってしまう。
【００５７】
一方、クロッチ伸縮部２００ａの伸縮率を１.８倍よりも大きくすると、クロッチ伸縮部２００ａの収縮方向における収縮寸法が大きくなり過ぎるため、クロッチ伸縮部２００ａが存在する領域が、身体に沿うよりも密着する状態となり易く、使い捨ておむつ１０が、着用者の下方にズレ易くなってしまう。
【００５８】
また、クロッチ伸縮部２００ａの製品長手方向Ｌにおける収縮量は、使い捨ておむつ１０の製品長手方向Ｌにおける長さの２〜８％となるように構成されていてもよい。
【００５９】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【００６０】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【００６１】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【００６２】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【００６３】
また、図１に示すように、吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００６４】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００６５】
例えば、図１に示すように、レッグ伸縮部７５は、所定本数の弾性部材（図１の例では、３本の弾性部材）によって構成されていてもよい。
【００６６】
また、レッグ伸縮部７５は、クロッチ伸縮部２００ａと同様に、伸縮性シート部材で形成されていてもよい。
【００６７】
具体的には、かかる伸縮性シート部材の幅（使い捨ておむつ１０の自然状態における製品幅方向Ｗにおける幅）は、少なくとも股下域２５において、５ｍｍ以上４５ｍｍ以下であることが好ましく、１２.５ｍｍ以上３５ｍｍ以下であることがより好ましい。
【００６８】
ここで、かかる伸縮性シート部材の幅が５ｍｍ未満では、実質的に面で着用者の脚回りに沿うという効果が発現せず、かかる伸縮性シート部材の幅が４５ｍｍを超えると、脚回りに沿う領域が広くなり、かかる伸縮性シート部材が着用者の身体側に巻き込んだり、めくれたりし易くなってしまう。
【００６９】
レッグ伸縮部７５の伸縮率は、１.５〜２.４倍であることが好ましい。例えば、本実施形態では、レッグ伸縮部７５の伸縮率は、１.９倍に設定されていてもよい。かかるレッグ伸縮部７５の伸縮率は、上述のクロッチ伸縮部２００ａの伸縮率と同様に規定されるものとする。
【００７０】
また、図１に示すように、一対のレッグ伸縮部７５の内側（製品幅方向Ｗにおける中央寄り）には、製品長手方向Ｌに沿って延びる一対のレッグサイドギャザー８０が備えられていてもよい。
【００７１】
図１に示すように、レッグサイドギャザー８０は、接合部分８１と、かかる接合部分８１と反対側に位置し、弾性部材８３が配置された自由端部分８２とを有する。
【００７２】
ここで、接合部分８１は、トップシート５０やバックシート６０ａや外装シート６０に接合されていてもよい。
【００７３】
また、自由端部分８２の製品長手方向Ｌにおける前胴回り域２０側の端部及び後胴回り域３０側の端部は、トップシート５０に接合される。接合部分８１は、製品幅方向Ｗにおいて、クロッチ伸縮部２００ａとレッグ伸縮部７５との間に配置されている。
【００７４】
レッグサイドギャザー８０は、着用時には、接合部分８１を基端部として立ち上がり、自由端部分８２が頂点部として着用者の肌と接触する。
【００７５】
また、本実施形態に係る使い捨ておむつ１０には、図１に示すように、前胴回り域２０内で、製品幅方向Ｗの中心付近で且つ製品長手方向Ｌの端部Ｅ１を含み、少なくとも２枚以上の不織布シートが配置されている領域に、切り欠き部５００が形成されている。
【００７６】
例えば、図２に示すように、かかる切り欠き部５００は、少なくとも２枚以上の不織布シートとして、トップシート５０及び外装シート６０が配置されている領域に形成されている。
【００７７】
ここで、通気性及び柔軟性の観点から、かかる切り欠き部５００は、２枚の不織布シート、すなわち、トップシート５０及び外装シート６０のみが配置されている領域に形成されていることが好ましい。
【００７８】
かかる構成によれば、切り欠き部５００が形成されている領域には、フィルムシートが配置されていないため、かかる領域における硬さを低減することができる。
【００７９】
なお、バックシート６０ａが、不織布シートである場合には、かかる切り欠き部５００は、トップシート５０及び外装シート６０が配置されている領域から、トップシート５０、バックシート６０ａ及び外装シート６０が配置されている領域に渡って形成されていてもよい。
【００８０】
ただし、バックシート６０ａが、不織布シートではなく、フィルムシート等である場合には、かかる切り欠き部５００は、バックシート６０ａが配置されている領域に形成されていてはいけない。
【００８１】
また、切り欠き部５００は、使い捨ておむつ１０の製品幅方向Ｗの中心に向かう凸形状を有しており、使い捨ておむつ１０を平面視した場合に、切り欠き部５００の切り欠きラインは、蛇行する形状となっていてもよい。
【００８２】
換言すると、使い捨ておむつ１０を平面視した場合に、切り欠き部５００の切り欠きラインは、２段に重ねた凸形状からなる曲線となっており、２段目の凸形状の頂点は、製品幅方向Ｗの中央に配置されていてもよい。
【００８３】
ここで、切り欠き部５００の切り欠きラインが、１段の凸形状からなる曲線となっていると、使い捨ておむつ１０の前胴回り域２０が深く切り抜かれている印象を与えてしまう。
【００８４】
例えば、製品幅方向Ｗの中央における製品長手方向Ｌの長さが２０ｍｍの切り欠き部５００を形成する場合、１段の凸形状からなる曲線によって、かかる切り欠き部５００を形成すると、漏れに対する不安が生じる印象を与えてしまうが、２段に重ねた凸形状からなる曲線によって、かかる切り欠き部５００を形成すると、漏れに対する不安が生じる印象を与えることなく、使い捨ておむつ１０と乳児のへそ部分とがすれるという事態を回避することができる。
【００８５】
また、２段に重ねた凸形状からなる曲線によって、切り欠き部５００を形成すると、使い捨ておむつ１０が、着用者の腹部から離れた際には、製品幅方向Ｗにおいて、製品長手方向Ｌの長さの変化点が複数設けられた切り欠きラインを形成することによって、着用者の腹部と使い捨ておむつ１０と間の隙間を小さくすることができ、隙間を目立たせなくすることができる。
【００８６】
また、本実施形態に係る使い捨ておむつ１０では、前胴回り域２０内の製品長手方向Ｌの端部Ｅ１から、使い捨ておむつ１０における製品長手方向Ｌの中心Ｏに向かうにつれて、配置されているシートの枚数が、順次、多くなるように構成されていてもよい。
【００８７】
例えば、図２に示すように、本実施形態に係る使い捨ておむつ１０では、第１に、前胴回り域２０内の製品長手方向Ｌの端部Ｅ１の周辺領域において、トップシート５０及び外装シート６０が配置されている。
【００８８】
第２に、前胴回り域２０内の製品長手方向Ｌの端部Ｅ１の周辺領域に隣接する領域では、トップシート５０、バックシート６０ａ及び外装シート６０が配置されている。
【００８９】
第３に、前胴回り域２０内の製品長手方向Ｌの中心Ｏを含む領域では、トップシート５０、コアラップ４０ｂ、バックシート６０ａ及び外装シート６０が配置されている。
【００９０】
上述のように、切り欠き部５００を設けると、切り欠き部５００が変曲起点となり、使い捨ておむつ１０と着用者の身体（腹部や腰部周り）との間に隙間が生じると、切り欠き部５００から製品長手方向Ｌに伸びる皺が発生しやすくなる。
【００９１】
また、新生児や低月齢の乳児特有の体型的特徴として、腹部周りが外側に張り出しており、へそ部分から股下部に向かう傾斜の変化がより大きい。
【００９２】
そこで、このような体型的特徴にある身体に、より使い捨ておむつ１０の前胴回り域２０側の端部が沿うように、ターゲットテープ９０ａから、随時、前胴回り域２０内の製品長手方向Ｌの端部Ｅ１側に向けて、使い捨ておむつ１０本体の厚みが薄くなっていくようにすることで、へそ部分用の切り欠き部５００の周辺が、着用者（新生児等）の身体に沿い易く、使い捨ておむつ１０と着用者の身体との間に隙間が生じ難くなる。
【００９３】
また、本実施形態に係る使い捨ておむつ１０では、前胴回り域２０内の製品長手方向Ｌの端部Ｅ１において、トップシート５０及び外装シート６０内の繊維が圧縮され、嵩が低減するように構成されており、トップシート５０及び外装シート６０内の繊維が溶解せずに交絡する状態によって接合されていてもよい。
【００９４】
ここで、前胴回り域２０内の製品長手方向Ｌの端部Ｅ１は、フィルムシートが配置されておらず不織布シート（繊維層）のみで構成されているため、かかる端部Ｅ１を構成する繊維の融点よりも低い温度のカッターにて切断することにより、トップシート５０及び外装シート６０内の繊維が溶解せずに交絡する状態によって接合することができる。
【００９５】
例えば、本実施形態に係る使い捨ておむつ１０では、前胴回り域２０内の製品長手方向Ｌの端部Ｅ１の形状は、図３（ａ）に示すような形状であってもよいし、図３（ｂ）に示すような形状であってもよい。
【００９６】
また、本実施形態に係る使い捨ておむつ１０では、図４に示すように、トップシート５０に、凸部５０ａ及び凹部５０ｂが設けられていてもよい。例えば、図４に示すように、凸部５０ａ及び凹部５０ｂは、製品長手方向Ｌに連続して延びるように構成されていてもよい。
【００９７】
かかる構成によれば、着用者のへそ部分及びへそ部分の周りにおける肌と接する部位である切り欠き部５００の肌面当接側の接触面積そのものを減らすことができ、且つ、製品長手方向Ｌに伸びる凹凸とすることで、着用者の身体に沿う方向の通気性を高めることができ、着用者のへそ部分の周りにおける肌が、使い捨ておむつ１０によって蒸れてしまうという事態を抑制することができる。
【００９８】
また、本実施形態に係る使い捨ておむつ１０では、図４に示すように、トップシート５０に、開孔５０ｃが設けられていてもよい。ここで、図４に示すように、開孔５０ｃは、凹部５０ｂに設けられていてもよい。
【００９９】
かかる構成によれば、着用者のへそ部分及びへそ部分の周りにおける肌が、使い捨ておむつ１０によって蒸れてしまうという事態を抑制することができる。また、開孔５０ｃを凹部５０ｂに設けることで、着用者の身体と直接接することなく、着用者の肌表面の湿気を使い捨ておむつ１０の外部に放出することができるようになる。
【０１００】
さらに、本実施形態に係る使い捨ておむつ１０では、不織布シート同士、例えば、トップシート５０及び外装シート６０は、図５に示すように、線状に塗布された接着剤５０ｄによって接合されていてもよい。
【０１０１】
そして、図５に示すように、本実施形態に係る使い捨ておむつ１０では、塗布されている接着剤５０ｄ同士の製品幅方向Ｗにおける間隔Ｗ２は、開孔５０ｃの製品幅方向Ｗにおける間隔Ｗ１よりも大きくなるように構成されていてもよい。
【０１０２】
かかる構成によれば、全ての開孔５０ｃが、接着剤５０ｄで覆われることがないので、開孔５０ｃが設けられたトップシート５０における通気性を、着用者の臍部の周りで実現することができる。
【０１０３】
例えば、トップシート５０に対して、面状に接着剤５０ｄが塗布されていてもよい。ここで、「面状」とは、一定の幅にて、トップシート５０に対して接着剤５０ｄが塗布されている状態を指す。ただし、接着剤５０ｄの面状の塗布領域の一部に非塗布部分が存在してもよい。
【０１０４】
このような面状の接着剤５０ｄの塗布は、コーターー塗工で、トップシート５０と接触させて、接着剤５０ｄを塗布する形で行われる。
【０１０５】
その結果、トップシート５０に開孔５０ｃが設けられており、かかる開孔５０ｃの上に接着剤５０ｄが塗布されたとしても、接着剤５０ｄが開孔５０ｃを埋めることはない。
【０１０６】
このように、トップシート５０に設けられた開孔５０ｃを接着剤５０ｄにて埋めることなく構成できるため、開孔５０ｃが設けられたトップシート５０における高い通気性を、着用者のへそ部分の周りにて実現することができる。
【０１０７】
また、本実施形態に係る使い捨ておむつ１０では、外装シート６０においてエンボス加工が施されるように構成されていてもよい。
【０１０８】
ここで、外装シート６０におけるエンボス率は、５％〜１５％となるように構成されていてもよい。
【０１０９】
かかる構成によれば、エンボス加工が施されていない部位は、通気性が高くなり易く、固くなり難い。エンボスのピッチ間を広くした方が、シートを構成する繊維の自由度を高くすることができ、繊維の絡みを起こり易くすることができる。
【０１１０】
本実施形態に係る使い捨ておむつ１０によれば、乳児のへそ部分に当たる位置において、バックシート６０ａを配置させず、トップシート５０及び外装シート６０内の繊維を圧縮され、嵩が低減するように構成し、トップシート５０及び外装シート６０内の繊維が溶解せずに交絡する状態によって接合することによって、できる限り、乳児のへそ部分に、違和感や痛みを与えないようにすることができる。
【０１１１】
また、本実施形態に係る使い捨ておむつ１０によれば、トップシート５０に、凸部５０ａ、凹部５０ｂ及び開孔５０ｃを設けることによって、乳児のへそ部分の周辺の肌に対して与える違和感や痛みを最小現にしつつ、乳児のへそ部分の周辺の十分な通気性を確保でき、乳児のへそ部分の乾燥を促すことができる。
【０１１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１３】
１０…使い捨ておむつ
２０…前胴回り域
２５…股下域
３０…後胴回り域
３５…脚回り開口部
４０…吸収体
４０ａ…吸収体コア
４０ｂ…コアラップ
５０…トップシート
５０ａ…凸部
５０ｂ…凹部
５０ｃ…開孔
６０ａ…バックシート
６０…外装シート
７０…サイドフラップ
７５…レッグ伸縮部
８０…レッグサイドギャザー
８１…接合部分
８２…自由端部分
９０…ファスニングテープ
９０ａ…ターゲットテープ
２００ａ…クロッチ伸縮部
【図１】
0005996256.tif 000002
【図２】
0005996256.tif 000003
【図３】
0005996256.tif 000004
【図４】
0005996256.tif 000005
【図５】
0005996256.tif 000006